(57)【特許請求の範囲】
【請求項１】
いずれかの対向する側面の厚さが異なる平面四角形状で断面くさび状の導光板と、
この導光板の薄い側面側に対向して配設される光源と、
前記導光板の厚い側面側に対向して配設される光源と、
前記導光板の前面側に位置して配設される液晶セルと
を具備したことを特徴とする液晶表示装置。
【請求項２】
導光板の厚い側面側に対向して配設される光源は、導光板の薄い側面側に対向して配設される光源より輝度が高い
ことを特徴とする請求項１記載の液晶表示装置。
【請求項３】
いずれの光源も線状光源で、導光板の厚い側面側に対向して配設される光源は、導光板の薄い側面側に対向して配設される光源より所定断面位置では本数が多い
ことを特徴とする請求項１または２記載の液晶表示装置。
【請求項４】
線状光源は、直管型ランプである
ことを特徴とする請求項３記載の液晶表示装置。
【請求項５】
直管型ランプは、同一種類のランプである
ことを特徴とする請求項４記載の液晶表示装置。
【請求項６】
線状光源は、少なくともいずれか１つが導光板の３つの側面に渡って対向するコ字状に屈曲されたランプである
ことを特徴とする請求項３記載の液晶表示装置。
【請求項７】
線状光源は、導光板の厚い側面側に対向して配設される光源および導光板の薄い側面側に対向して配設される光源のそれぞれ少なくともいずれか１つが導光板の隣り合う２つの側面に渡って対向するＬ字状に屈曲されたランプである
ことを特徴とする請求項３記載の液晶表示装置。
【請求項８】
導光板の背面側に厚い側面側から薄い側面側に向けて順次密度が高く設けられた拡散手段
を具備したことを特徴とする請求項１ないし７いずれか記載の液晶表示装置。
【請求項９】
導光板の背面の薄い側面側の近傍に位置して配設された液晶セルを駆動する回路基板
を具備したことを特徴とする請求項１ないし８いずれか記載の液晶表示装置。
【請求項１０】
液晶セルおよび回路基板を接続するＴＡＢ
を具備したことを特徴とする請求項１ないし９いずれか記載の液晶表示装置。
【請求項１１】
導光板の厚い側面側に対向して配設される光源は、交換可能である
ことを特徴とする請求項１ないし１０いずれか記載の液晶表示装置。
【発明の詳細な説明】
【０００１】
【発明の属する技術分野】
本発明は、装置を大型化することなく輝度を向上させた液晶表示装置に関する。
【０００２】
【従来の技術】
従来、この種の液晶表示装置としては、たとえば図７に示す構成が知られている。この図７に示す液晶表示装置は、平面四角形状のアクリル製の導光板１を有し、この導光板１の背面には光拡散用の拡散ドット２が形成され、対向する辺の側面にはそれぞれ光源３，４が配設されている。また、光源３は線状光源である直管型の放電ランプ５が導光板１の側面に対向して配設され、この放電ランプ５を覆うように反射板６が配設されて放電ランプ５からの照射光を導光板１の側面に反射する。同様に、光源４は線状光源である直管型の放電ランプ７が導光板１の放電ランプ５とは反対側の側面に対向して配設され、この放電ランプ７を覆うように反射板８が配設されて放電ランプ７からの照射光を導光板１の側面に反射する。
【０００３】
また、導光板１の前面側には、液晶セル11が配設され、導光板１で導光された光により液晶セル11を背面から照明する。この液晶セル11は、アクティブマトリクス基板12に対向基板13が対向して配設され、これらアクティブマトリクス基板12および対向基板13間に図示しない液晶組成物が挟持されている。
【０００４】
そして、導光板１の背面側には、液晶セル11を駆動する駆動回路などが搭載された回路基板14が配設され、この回路基板14はフレキシブルなＴＡＢ（Tape Automated Bonding）15にて電気的に接続されている。
【０００５】
さらに、これらは背面が開口した薄箱状のベゼル16に収容され、このベゼル16は前面側に照射開口17を有し、この照射開口17の周囲には額縁部18が形成され、照射開口17に対応して液晶セル11が配設され、額縁部18で液晶セル11の周囲などを被覆している。
【０００６】
そして、放電ランプ５，７で光を照射すると、反射板６，８で導光板１方向に光を反射する。導光板１ではこれらの光を導光し、拡散ドット２で導光板１内の光を導光板１の前方側に拡散して液晶セル11を背面から照明し、この液晶セル11を透過する。
【０００７】
【発明が解決しようとする課題】
しかしながら、近年、液晶表示装置はより高輝度化が要求されることがある。
【０００８】
この場合、たとえば図８に示すように、光源３，４をそれぞれ２本ずつの放電ランプ５，７を高さ方向に沿って配置することが考えられる。
【０００９】
そして、図８に示すように、放電ランプ５，７を高さ方向に沿って配置すれば、放電ランプ５，７全体の輝度が向上するとともに、放電ランプ５，７が導光板１の側面に対向する部分が増加するため、導光板１を明るくできる。
【００１０】
ところが、放電ランプ５，７をそれぞれ高さ方向に２本ずつ配設すると、導光板１の厚さが厚くなるとともに、重量が大きくなってしまう問題を有している。
【００１１】
本発明は、上記問題点に鑑みなされたもので、装置を大型化することなく輝度を向上させた液晶表示装置を提供することを目的とする。
【００１２】
【課題を解決するための手段】
本発明は、いずれかの対向する側面の厚さが異なる平面四角形状で断面くさび状の導光板と、この導光板の薄い側面側に対向して配設される光源と、前記導光板の厚い側面側に対向して配設される光源と、前記導光板の前面側に位置して配設される液晶セルとを具備したもので、導光板を断面くさび状として対向する側面の厚さを異ならせたことにより、全体的に導光板を厚くすることなく側面に対向する光源を異ならせることができ、薄い側面側には収容部を形成できるため、装置を大型化することなく輝度向上が図れる。
【００１３】
また、導光板の厚い側面側に対向して配設される光源は、導光板の薄い側面側に対向して配設される光源より輝度が高いもので、輝度を向上させる。
【００１４】
さらに、いずれの光源も線状光源で、導光板の厚い側面側に対向して配設される光源は、導光板の薄い側面側に対向して配設される光源より所定断面位置では本数が多いもので、本数を増加させることにより輝度の増加を図る。
【００１５】
またさらに、線状光源は、直管型ランプであるものである。
【００１６】
また、直管型ランプは、同一種類のランプであるもので、同一種類のランプとすることにより特性がほぼ等しいのでランプの制御が容易である。
【００１７】
さらに、線状光源は、少なくともいずれか１つが導光板の３つの側面に渡って対向するコ字状に屈曲されたランプであるものである。
【００１８】
またさらに、線状光源は、導光板の厚い側面側に対向して配設される光源および導光板の薄い側面側に対向して配設される光源のそれぞれ少なくともいずれか１つが導光板の隣り合う２つの側面に渡って対向するＬ字状に屈曲されたランプであるものである。
【００１９】
また、導光板の背面側に厚い側面側から薄い側面側に向けて順次密度が高く設けられた拡散手段を具備したもので、拡散手段の密度を異ならせることにより厚い側面側でも薄い側面側でもいずれの部分での導光板の輝度を均一にする。
【００２０】
さらに、導光板の背面の薄い側面側の近傍に位置して配設された液晶セルを駆動する回路基板を具備したもので、導光板の薄い側面側の背面に回路基板を配設することにより、装置が厚くなることを極力抑制する。
【００２１】
また、液晶セルおよび回路基板を接続するＴＡＢを具備したものである。
【００２２】
さらに、導光板の厚い側面側に対向して配設される光源は、交換可能であるものである。
【００２３】
【発明の実施の形態】
以下、本発明の液晶表示装置の一実施の形態を図面を参照して説明する。
【００２４】
図１及び図２に示すように、たとえばモニタ、ＦＡなどに用いられる液晶表示装置は、平面四角形状で一側面側からこの一側面に対向する他側面側に向けて厚さが薄くなる断面くさび状のアクリル製の導光板21を有し、この導光板21の背面には厚い側面から薄い側面に向かって順次密度が高くなる光拡散用の拡散手段としての拡散ドット22が形成され、導光板21の厚い側面側にはこの厚い側面に対応した大きさの光源23が配設され、薄い側面側にはこの薄い側面に対応した大きさの光源24が配設されている。また、光源23は線状光源である直管型の２本の放電ランプ25が高さ方向に沿って導光板21の側面に対向して配設され、これら放電ランプ25，25を覆うように反射板26が配設されて放電ランプ25からの照射光を導光板21の側面に反射する。一方、光源24は線状光源である直管型の１本の放電ランプ27が導光板21の放電ランプ25とは反対側の側面に対向して配設され、この放電ランプ27を覆うように反射板28が配設されて放電ランプ27からの照射光を導光板21の側面に反射する。
【００２５】
また、導光板21の前面側には、液晶セル31が配設され、導光板21で導光された光により液晶セル31を背面から照明する。この液晶セル21は、アクティブマトリクス基板32に対向基板33が対向して配設され、これらアクティブマトリクス基板32および対向基板33間に図示しない液晶組成物が挟持されている。
【００２６】
そして、導光板21の薄い側面側の背面側には、液晶セル31を駆動する駆動回路などが搭載された回路基板34が配設され、この回路基板34はフレキシブルなＴＡＢ（Tape Automated Bonding）35にて電気的に接続されている。なお、回路基板34の背面は導光板21の厚い側面側の最下位より高い位置にあれば、導光板21の厚さより厚くなることはないので好ましい。
【００２７】
さらに、これらは背面が開口した薄箱状のベゼル36に収容され、このベゼル36は前面側に照射開口37を有し、この照射開口37の周囲には額縁部38が形成され、照射開口37に対応して液晶セル31が配設され、額縁部38で液晶セル31の周囲などを被覆している。
【００２８】
次に、上記実施の形態の動作について説明する。
【００２９】
そして、放電ランプ25，25，27で光を照射すると、反射板26，28で導光板21の方向に光を反射する。導光板21ではこれらの光を導光し、拡散ドット22で輝度の高い２本の放電ランプ25，25側では少なく輝度の低い１本の放電ランプ27側では多く光を拡散し、導光板１内の光をほぼ均一に導光板21の前方側に拡散して液晶セル31を背面から照明し、この液晶セル31を透過する。
【００３０】
このように、導光板21の厚い側面側に２本の放電ランプ25，25を配設することにより、１本の場合に比べて容易に輝度を高くすることができ、また、導光板21の断面をくさび型として薄い側面側の導光板21の背面に回路基板34を配設することにより、導光板21の厚さ以上に厚くなることを防止して薄型化するとともに、導光板21の重量が大きくなることを防止する。
【００３１】
また、放電ランプ25，25，27を同一のものにすれば、始動特性、負荷特性などがほぼ等しいので、回路基板34の始動、点灯および調光制御を容易に設定できる。また、放電ランプ25，27はいずれも直管型のものを用いているため、屈曲されて全長が長いものに比べても始動電圧が低く、容易に始動できるとともに、点灯装置の耐電圧特性も低くできる。
【００３２】
さらに、光源23側のみの放電ランプ25，25を交換可能にしてもよい。すなわち、光源24側には、回路基板34およびＴＡＢ35が位置するため、放電ランプ27を交換可能にすると構成が複雑になるが、光源23側には構成を複雑にする構成がないので、放電ランプ25，25を交換可能にしても構成が特に複雑になることはない。
【００３３】
また、導光板21の厚い側面側の光源23の放電ランプ25，25を２本とし、薄い側面側の光源24の放電ランプ27を１本としたが、いずれもこれに限られず、厚い側面側の光源の放電ランプ25の数を薄い側面側の光源24の放電ランプ27の数よりも多くすれば良く、いずれも複数でよい。
【００３４】
さらに、図３に示すように、たとえば薄い側面側の光源24の放電ランプ41を薄い側面およびこの側面に隣り合う側面の３面に対向させるように、コ字状にしてもよい。なお、図示しないが厚い側面側の光源23の放電ランプをこのようにコ字状にしてもよい。
【００３５】
またさらに、図４に示すように、導光板21の薄い側面側の光源24の放電ランプ42と、厚い側面側の光源23のうち１本の放電ランプ43をそれぞれ対向する隣り合う側面の２面に対向させるように、Ｌ字状にしてもよい。
【００３６】
また、図５に示すように、導光板21の厚い側面側の光源23の２本の放電ランプ44，45をそれぞれ対向する隣り合う側面の２面に対向させるように、Ｌ字状にしてもよい。
【００３７】
このように、導光板21の４つの側面から照射することにより、より輝度を高くすることができる。
【００３８】
また、図６に示すように、ほぼ中央で屈曲されたＵ字状の放電ランプ46を用い、１つの放電ランプ46で放電ランプ25のほぼ２つ分の明るさを得るようにしてもよい。
【００３９】
【発明の効果】
本発明によれば、導光板を断面くさび状として対向する側面の厚さを異ならせたことにより、全体的に導光板を厚くすることなく側面に対向する光源を異ならせて輝度を向上することができるとともに、装置を大型化することなく輝度を向上できる。
【図面の簡単な説明】
【図１】本発明の液晶表示装置の一実施の形態を示す断面図である。
【図２】同上平面図である。
【図３】同上他の実施の形態の液晶表示装置を示す平面図である。
【図４】同上また他の実施の形態の液晶表示装置を示す平面図である。
【図５】同上さらに他の実施の形態の液晶表示装置を示す平面図である。
【図６】同上またさらに他の実施の形態の液晶表示装置を示す断面図である。
【図７】従来例の液晶表示装置を示す断面図である。
【図８】他の従来例の液晶表示装置を示す断面図である。
【符号の説明】
21    導光板
22    拡散手段としての拡散ドット
25，27    線状光源としての直管型の放電ランプ
31    液晶セル
34    回路基板
35    ＴＡＢ
41    コ字状の放電ランプ
42，43，44，45    Ｌ字状の放電ランプ
【図１】
0004519277.tif 000002
【図２】
0004519277.tif 000003
【図３】
0004519277.tif 000004
【図４】
0004519277.tif 000005
【図５】
0004519277.tif 000006
【図６】
0004519277.tif 000007
【図７】
0004519277.tif 000008
【図８】
0004519277.tif 000009